(57)【要約】【課題】  Ｖ首尖端部を容易に編成する方法を提供する。【解決手段】  筒状に編成される前身と後身の身幅中心を、横編機の針床において編幅の側端部の位置に配置させて、Ｖ首形状のニットウェアをＶ首開口部より編成するに際し、前後の針床で編成される前後編地の基点となる前後共通の編み出しの一部に、Ｖ首開口部となる筒状の編み出し部を設け、前後針床に対し、筒状の編み出し部より夫々別の編糸を供給して編幅を増やし、編み出しの両端部まで編成することで、編糸の種類やＶ首衿の角度に関係なく、Ｖ首尖端部を容易に形成するＶ首を有するニットウェアの編成方法である。【選択図】  図１
2009057669.tif 000002
【特許請求の範囲】
【請求項１】
編針を列設した少なくとも前後一対の針床を有し、前後針床が相対的にラッキング可能に構成された横編機を用いて、筒状に編成される編地の前身と後身の身幅中心が、横編機の針床において編幅の側端部に配置させて、Ｖ首形状のニットウェアをＶ首開口部より編成するに際し、以下のステップを含むＶ首を有するニットウェアの編成方法であって、
前後の針床で編成される前後編地の基点となる前後共通の編み出しの一部に、Ｖ首開口部となる筒状の編み出し部を設けるステップと、
前後の針床に対し、前記筒状の編み出し部より編幅を増やしながら、編み出し領域の端部まで編成するステップ、
を含むことを特徴とするＶ首を有するニットウェアの編成方法。
【発明の詳細な説明】
【技術分野】
【０００１】
本発明は、Ｖ首を有するニットウェアの編成方法に関する。
【背景技術】
【０００２】
特許文献１では、Ｖ首を有するニットウェアにおいて、衿部のウェール方向がネックラインに平行ではなく開口部に向かって延びる衿を形成し、衿部の“剣先”と呼ばれるＶ首の尖端部が成型編みで整えられる編成方法が開示されている。
【特許文献１】特開２００６−１１１９９６
【発明の開示】
【発明が解決しようとする課題】
【０００３】
特許文献１ではＶ首尖端部を成型編みにより形成するため、編糸の種類やＶ首衿の角度によっては糸切れが発生し、編成が難しい場合がある。本発明では、編糸の種類やＶ首衿の角度に関係なく、Ｖ首尖端部を容易に形成することを目的とする。
【課題を解決するための手段】
【０００４】
本発明は、編針を列設した少なくとも前後一対の針床を有し、前後針床が相対的にラッキング可能に構成された横編機を用いて、筒状に編成される前身と後身の身幅中心が、横編機の針床において編幅の側端部に配置させて、Ｖ首形状のニットウェアをＶ首開口部より編成するに際し、以下のステップを含むＶ首を有するニットウェアの編成方法であって、前後の針床で編成される前後編地の基点となる前後共通の編み出しの一部に、Ｖ首開口部となる筒状の編み出し部を設けるステップと、前後の針床に対し、前記筒状の編み出し部より編幅を増やしながら、編み出し領域の端部まで編成するステップ、を含むことを特徴とするＶ首を有するニットウェアの編成方法である。
【発明の効果】
【０００５】
本発明によれば、Ｖ首開口部となる筒状の編み出し部より衿部の編成を行う。引き返し編成を行うことで、編目の移動を行うことなく、前後編地の基点となる前後共通の編み出し部でＶ首中心の左右の編目が簡単に接合され、Ｖ首の角度も、引き返し編成により容易に調整することできる。
【発明を実施するための最良の形態】
【０００６】
以下に本発明の好適な実施例について、図１〜図４に基づいて説明する。図１は、本発明に係る第一実施例の編成方法により編成されたニットウェアとしてのポンチョの正面図を示したものであり、図２は、そのポンチョの横編機上での編成イメージ図を示す。  
【０００７】
ポンチョの編成には、編針を列設した前後一対の針床を有し、前後針床が相対的にラッキング可能に構成された横編機を用いる。
【０００８】
ポンチョ４０は、図２に示す編成にしたがって横編機上で編成された後、図１に示す状態にして着用される。ポンチョ４０は、前後身頃にＶ首尖端部８，８を有する。ネックライン２より開口部７に向けて、１Ｘ１リブの組織で衿部１が形成され、身幅中心１０の前後の位置にフリル４，４が形成されている。
【０００９】
図２は、横編機上での編成イメージであり、編成方向１３を矢印で示す。編成手順は、フリル４，４を身幅中心１０の前後に形成するために、フリル４，４から編み始め、続いて衿部１を形成した後、前身頃３ｆ、後身頃３ｂを編成する。まず、４，４と捨て編地５の編み出しを各領域夫々の給糸口より行い、筒状に編成する。
【００１０】
フリル４，４および捨て編地５の編成後、Ｖ首開口部７となる筒状の編出し部１２の形成を行い、それに続いて筒状に１Ｘ１リブの編成を行いながら、引き返し編成で編幅を増やしていく。フリル４，４の編成最終コースでは、前後針床で夫々に編成した編目が係止されて筒状になっており、前後共通の編み出し部１１として前後針床に交互に渡る１Ｘ１リブを編成し、前後の編地を繋げる。
【００１１】
衿部１の引き返し編成が終了した段階でＶ首の形成が完了し、一般的に編成が難しいとされているＶ首尖端部８の形成も、引き返し編成と共に簡単に行われる。  
【００１２】
衿部１の編成後、前身頃３ｆ、後身頃３ｂの編成に移行するが、前後夫々の針床で別の編糸を使って編成を進めながら両端で編目を減らし、着用した際の裾のライン９を形成している。デザインにより、編目を増やしたり、減らしたり、筒状の編成を行ったり、前後の形状を異ならせても良い。
【００１３】
第二実施例として、前身頃２３ｆにのみＶ首尖端部２８を形成したポンチョ５０を図３に示す。ポンチョ５０にはフリルはなく、前身頃２３ｆ、後身頃２３ｂは裾に向けて広がっている。図４は、ポンチョ５０の編成イメージ図を示す。図３は図１に、図４は図２にそれぞれ対応した図を示す。
【００１４】
Ｖ首開口部２７となる筒状の編み出し部３２の位置が、前後共通の編み出し部３１となる編み出し領域の左半分の位置にあり、衿部２１、前身頃２３ｆ、後身頃２３ｂが共に肩線２６を境に非対称である。編成方法においては、上記第一実施例と基本的には同じであるが、図４での肩線２６の左側にあたる部分において、編み出し部に対し垂直または、略垂直の身幅中心のラインを形成している。垂直に編成する場合には、そのラインを中心として、一つの給糸口でＣ字状の引き返し編成を行う。
【００１５】
なお、上記各実施例ではニットウエアとしてポンチョの例を示したが、これに限られるものでない。衿部１の編み組織を２Ｘ２リブや２Ｘ１リブ、ガーター組織など他の編み組織としてもよい。
【図面の簡単な説明】
【００１６】
【図１】第一実施例でのポンチョの正面図。
【図２】第一実施例での編成イメージ図。
【図３】第二実施例でのポンチョの正面図。
【図４】第二実施例での編成イメージ図。
【符号の説明】
【００１７】
１、２１      衿部
２、２２      ネックライン
３ｆ、２３ｆ  前身頃
３ｂ、２３ｂ  後身頃
４            フリル      
５、２５      捨て編部
６、２６      肩線
７、２７      開口部
８，２８      Ｖ首尖端部
９、２９      裾のライン
１０、３０    身幅中心
１１、３１    前後共通の編み出し部
１２、３２    筒状の編み出し部
１３、３３    編成方向
４０  第一実施例で示すポンチョの正面図
５０  第二実施例で示すポンチョの正面図
【図１】
2009057669.tif 000003
【図２】
2009057669.tif 000004
【図３】
2009057669.tif 000005
【図４】
2009057669.tif 000006